(57)【要約】  【課題】給水ポンプの動作時にフィルタでの水垢・ゴミ等の詰りを防止する。  【解決手段】給水ポンプ５を水タンク２の水面よりも上位に配置させ、給水ポンプ接続チューブ６を水タンク２の底面に接続せず、水タンク２の上部から貫通させ、水タンク２の水面から底面までの間に配置することで、水タンク２の底面に沈殿した水垢・ゴミを吸い込みにくく、湯タンク接続チューブ７及び給水ポンプ５及び給水ポンプ接続チューブ６の内部に水が貯水されることがないために、水垢等の発生を防止することが可能となり、水タンク２の水面以下に配置された給水ポンプ接続チューブ６は、常に塩素発生装置２ａにより、時間が経過しても、水垢・ゴミ等を吸入することがないために、フィルタ５ａに詰まることがなく、給水不良を防止することが可能となる。【選択図】図１
2005326926.tif 000002
【特許請求の範囲】
【請求項１】
自動販売機内で一時的に貯水する水タンクと、前記水タンクの内部に構成され、飲料用の湯を生成し、保温する湯タンクと、前記水タンクの水を前記湯タンクに給水するための給水ポンプと、前記給水ポンプの吸入口に構成され、水垢・ゴミ等を除去するフィルタと、前記給水ポンプと前記水タンクを接続した給水ポンプ接続チューブと、前記給水ポンプと前記湯タンクを接続する湯タンク接続チューブとを備え、前記給水ポンプを前記水タンクの水面よりも上位に配置させ、前記給水ポンプ接続チューブを前記水タンクの上部から貫通させ、前記水タンクの水面から底面までの間に配置することで、水垢・ゴミ等を吸入することがないために、前記フィルタに詰まることがなく、給水不良を防止することができることを特徴とする給水装置。
【請求項２】
給水ポンプを制御する主制御部を備えた請求項１に記載の製氷装置。
【請求項３】
給水ポンプのモータの回転数を可変させる回転数制御部を備えた請求項１または２に記載の製氷装置。
【請求項４】
電源をＯＮした場合に、給水ポンプを必ず逆転動作させる給水装置制御を備えた請求項１から請求項３のいずれか一項に記載の製氷装置。
【発明の詳細な説明】
【技術分野】
【０００１】
本発明は、給水装置に関するものであり、特にカップ式自動販売機に搭載するのに適した給水装置に関するものである。
【背景技術】
【０００２】
近年、カップ式自動販売機に湯タンクを搭載し、湯タンクに必要な水を給水する給水装置がある（例えば、特許文献１参照）。
【０００３】
以下、図面を参照しながら上記従来の給水装置を説明する。
【０００４】
図６は、従来の給水装置の構成図である。図６に示すように従来の給水装置は、水道水を自動販売機に給水したり、止水したりする給水弁１と、給水弁１を通過した水を自動販売機内で一時的に貯水する水タンク２と、水タンク２の内部に構成され、水タンク２内の水が塩素の消費で、腐敗や異臭の発生を防止するために、水を電気分解を行い、塩素を発生させる塩素発生装置２ａと、給水弁１と水タンク２を接続する水タンク接続チューブ３と、飲料用の湯を生成し、保温する湯タンク４と、水タンク２の水を湯タンク４に給水するための給水ポンプ５と、給水ポンプ５の吸入口に構成され、水垢・ゴミ等を除去するフィルタ５ａと、水タンク２と給水ポンプ５を接続する給水ポンプ接続チューブ６と、給水ポンプ５と湯タンク４を接続する湯タンク接続チューブ７とから構成されている。
【０００５】
以上のように、構成された給水装置について、以下その動作を説明する。
【０００６】
まず、給水弁１を開けることで、水道弁１を開けることで水道水を水タンク２に給水させ、水タンク２に貯水された水は、時間が経過すると、自然に塩素が消費され、水が腐敗することを防止するために、定期的に塩素発生装置２ａにて水を電気分解し、塩素を発生させている。この水タンク２に貯水された水を給水ポンプ５を動作させることで、給水ポンプ接続チューブ６及び湯タンク接続チューブ７を経由して、湯タンク４に給水させている。
【特許文献１】特許第３０２４７３８号公報
【発明の開示】
【発明が解決しようとする課題】
【０００７】
しかしながら、上記従来の構成は、水タンク２の底面と給水ポンプ５を給水ポンプ接続チューブ６で接続し、水タンク２に貯水している水面よりも低い位置に給水ポンプ５を配置しているために、給水ポンプ接続チューブ６及び給水ポンプ５内部の水通路が常に水に満たされている。そこで、水タンク２内の水は塩素発生装置２ａによって、水の腐敗にとる水垢等の発生は防止することができるが、給水ポンプ接続チューブ６及び給水ポンプ５内部の水通路に満たされている水は、水タンク２内の水とつながっているものの、時間が経過すると、塩素の濃度が低下し、水垢等が付着しやすい状態となる。この状態で、給水ポンプを動作させると、水タンク２の底面及び給水ポンプ接続チューブ６に付着した水垢・ゴミ等を水と一緒に給水してしまうことで、フィルタ５ａに詰り、給水ポンプ５が給水不良になるという欠点があった。
【０００８】
本発明は、従来の課題を解決するもので、給水ポンプ５の動作時にフィルタ５ａでの水垢・ゴミ等の詰りを防止することができる給水装置を提供することを目的とする。
【０００９】
また、上記従来の構成は、水タンク２の底面及び給水ポンプ接続チューブ６に付着した水垢・ゴミ等を水と一緒に給水してしまうことで、フィルタ５ａに詰り、一旦フィルタ５ａに付着すると付着量が増加する一方であるという欠点があった。
【００１０】
本発明は、従来の課題を解決するもので、給水ポンプ５に構成されたフィルタ５ａに付着した水垢・ゴミ等を除去することができる。
【００１１】
また、上記従来の構成は、給水ポンプ５のモータを固定された回転数で動作させているために、目的に応じて回転数を可変させることが不可能であるという欠点があった。
【００１２】
本発明は、従来の課題を解決するもので、目的に応じて回転数を可変させることができる。
【００１３】
また、上記従来の構成は、瞬間的な停電を含む停電または自動販売機の意図的な電源ＯＦＦ後に電源をＯＮした場合に、フィルタ２ａに水垢・ゴミ等が付着したままの状態となる欠点があった。
【００１４】
本発明は、従来の課題を解決するもので、瞬間的な停電を含む停電または自動販売機の意図的な電源ＯＦＦ後に電源をＯＮした場合に、フィルタ２ａに水垢・ゴミ等が付着したままの状態となることを防止できる。
【課題を解決するための手段】
【００１５】
上記従来の課題を解決するために、本発明の給水装置は、水道水を自動販売機に給水したり、止水したりする給水弁と、前記給水弁を通過した水を自動販売機内で一時的に貯水する水タンクと、前記水タンクの内部に構成され、前記水タンク内の水が塩素の消費で、腐敗や異臭の発生を防止するために、水を電気分解を行い、塩素を発生させる塩素発生装置と、前記給水弁と前記水タンクを接続する水タンク接続チューブと、飲料用の湯を生成し、保温する湯タンクと、前記水タンクの水を前記湯タンクに給水するための自給式の給水ポンプと、前記給水ポンプの吸入口に構成され、水垢・ゴミ等を除去するフィルタと、前記給水ポンプと接続し、もう片側を前記水タンクの上部から貫通させ、前記水タンクの水面から底面までの間に配置した給水ポンプ接続チューブと、前記給水ポンプと前記湯タンクを接続する湯タンク接続チューブとを備えたものであり、前記給水ポンプを前記水タンクの水面よりも上位に配置させ、前記給水ポンプ接続チューブを前記水タンクの底面に接続せず、前記水タンクの上部から貫通させ、前記水タンクの水面から底面までの間に配置することで、前記水タンクの底面に沈殿した水垢・ゴミを吸い込みにくく、前記湯タンク接続チューブ及び前記給水ポンプ及び前記給水ポンプ接続チューブの内部に水が貯水されることがないために、水垢等の発生を防止することが可能となり、前記水タンクの水面以下に配置された前記給水ポンプ接続チューブは、常に前記塩素発生装置により、時間が経過しても、水垢・ゴミ等を吸入することがないために、前記フィルタに詰まることがなく、給水不良を防止することが可能となる。
【発明の効果】
【００１６】
本発明の給水装置は、給水ポンプを水タンクの水面よりも上位に配置させ、給水ポンプ接続チューブを水タンクの底面に接続せず、水タンクの上部から貫通させ、水タンクの水面から底面までの間に配置することで、水タンクの底面に沈殿した水垢・ゴミを吸い込みにくく、湯タンク接続チューブ及び給水ポンプ及び給水ポンプ接続チューブの内部に水が貯水されることがないために、水垢等の発生を防止することが可能となり、水タンクの水面以下に配置された給水ポンプ接続チューブは、常に塩素発生装置により、時間が経過しても、水垢・ゴミ等を吸入することがないために、フィルタに詰まることがなく、給水不良を防止することができる。
【００１７】
また、本発明の給水装置は、請求項１に記載の発明に加えて、給水ポンプを正転動作させて停止後、即時、給水ポンプを逆転動作させることで湯タンク接続チューブ及び給水ポンプ内部の水が一気に水タンクに戻るために、給水ポンプに構成されたフィルタに付着した水垢・ゴミ等を除去することが可能となり、常に給水後に給水ポンプを逆転動作させることで、給水ポンプと水タンクの水面距離が一定に保たれるために、吐出時の単位時間あたりの吐出定量性を保つことが可能となり、水吐出用のポンプにも利用可能にすることができる。
【００１８】
また、本発明の給水装置は、請求項１または２に記載の発明に加えて、給水ポンプを正転動作させる場合と逆転動作させる場合に、給水ポンプのモータの回転数を可変させることで、短時間での給水及び水タンク内の水の塩素消費を低減させることができる。
【００１９】
また、本発明の給水装置は、請求項１または２または３に記載の発明に加えて、給水ポンプを正転動作させてから逆転動作させるまでの間に、瞬間的な停電を含む停電または自動販売機の意図的な電源ＯＦＦによって、給水ポンプの逆転動作がなされないことになり、再度、電源をＯＮした場合に、フィルタに水垢・ゴミ等が付着したままの状態となる可能性があるため、自動販売機の電源をＯＮした場合に、給水ポンプを必ず逆転動作させることで、フィルタに水垢・ゴミ等が付着したままの状態となることを防止することができる。
【発明を実施するための最良の形態】
【００２０】
請求項１に記載の発明は、水道水を自動販売機に給水したり、止水したりする給水弁と、前記給水弁を通過した水を自動販売機内で一時的に貯水する水タンクと、前記水タンクの内部に構成され、前記水タンク内の水が塩素の消費で、腐敗や異臭の発生を防止するために、水を電気分解を行い、塩素を発生させる塩素発生装置と、前記給水弁と前記水タンクを接続する水タンク接続チューブと、飲料用の湯を生成し、保温する湯タンクと、前記水タンクの水を前記湯タンクに給水するための自給式の給水ポンプと、前記給水ポンプの吸入口に構成され、水垢・ゴミ等を除去するフィルタと、前記給水ポンプと接続し、もう片側を前記水タンクの上部から貫通させ、前記水タンクの水面から底面までの間に配置した給水ポンプ接続チューブと、前記給水ポンプと前記湯タンクを接続する湯タンク接続チューブとを備えたものであり、前記給水ポンプを前記水タンクの水面よりも上位に配置させ、前記給水ポンプ接続チューブを前記水タンクの底面に接続せず、前記水タンクの上部から貫通させ、前記水タンクの水面から底面までの間に配置することで、前記水タンクの底面に沈殿した水垢・ゴミを吸い込みにくく、前記湯タンク接続チューブ及び前記給水ポンプ及び前記給水ポンプ接続チューブの内部に水が貯水されることがないために、水垢等の発生を防止することが可能となり、前記水タンクの水面以下に配置された前記給水ポンプ接続チューブは、常に前記塩素発生装置により、時間が経過しても、水垢・ゴミ等を吸入することがないために、前記フィルタに詰まることがなく、給水不良を防止することが可能となる作用を有する。
【００２１】
請求項２に記載の発明は、請求項１に記載の発明に、さらに、前記給水ポンプを制御する主制御部を備えたものであり、前記給水ポンプを正転動作させて停止後、即時、前記給水ポンプを逆転動作させることで前記湯タンク接続チューブ及び前記給水ポンプ内部の水が一気に前記水タンクに戻るために、前記給水ポンプに構成された前記フィルタに付着した水垢・ゴミ等を除去することが可能となり、常に給水後に前記給水ポンプを逆転動作させることで、前記給水ポンプと前記水タンクの水面距離が一定に保たれるために、吐出時の単位時間あたりの吐出定量性を保つことが可能となり、水吐出用のポンプにも利用可能となる作用を有する。
【００２２】
請求項３に記載の発明は、請求項１または請求項２に記載の発明に、さらに、前記給水ポンプのモータの回転数を可変させる回転数制御部を備えたものであり、前記給水ポンプを正転動作させる場合と逆転動作させる場合に、前記給水ポンプのモータの回転数を可変させることで、短時間での給水及び前記水タンク内の水の塩素消費を低減させることが可能となる。また、逆に、前記給水ポンプを正転動作させる場合に、前記湯タンク内部の液面が波立つことを防止するために、前記給水ポンプのモータの回転数を下げ、前記給水ポンプを逆転動作させる場合に、前記フィルタに付着した水垢・ゴミ等が多い時に前記給水ポンプのモータの回転数を上げることで、流速が高まり、水垢・ゴミ等の除去能力を高めることが可能となる作用を有する。
【００２３】
請求項４に記載の発明は、請求項１から請求項３のいずれか一項に記載の発明に、さらに、給水装置制御を備えたものであり、前記給水ポンプを正転動作させてから逆転動作させるまでの間に、瞬間的な停電を含む停電または自動販売機の意図的な電源ＯＦＦによって、前記給水ポンプの逆転動作がなされないことになり、再度、電源をＯＮした場合に、前記フィルタに水垢・ゴミ等が付着したままの状態となる可能性があるため、自動販売機の電源をＯＮした場合に、前記給水ポンプを必ず逆転動作させることで、前記フィルタに水垢・ゴミ等が付着したままの状態となることを防止することが可能となる作用を有する。
【００２４】
以下、本発明による給水装置の実施の形態について、図面を参照しながら説明する。なお、従来と同一構成については、同一符号を付して詳細な説明を省略する。
【００２５】
（実施の形態１）
図１は、本発明の実施の形態１による  給水装置の構成図である。
【００２６】
図１に示すように、水道水を自動販売機に給水したり、止水したりする給水弁１と、給水弁１を通過した水を自動販売機内で一時的に貯水する水タンク２と、水タンク２の内部に構成され、水タンク２内の水が塩素の消費で、腐敗や異臭の発生を防止するために、水を電気分解を行い、塩素を発生させる塩素発生装置２ａと、給水弁１と水タンク２を接続する水タンク接続チューブ３と、飲料用の湯を生成し、保温する湯タンク４と、水タンク２の水を湯タンク４に給水するための自給式の給水ポンプ５と、給水ポンプ５と接続し、もう片側を水タンク２の上部から貫通させ、水タンク２の水面から底面までの間に配置した給水ポンプ接続チューブ６と、給水ポンプ５と湯タンク４を接続する湯タンク接続チューブ７とから構成されている。
【００２７】
以上のように構成された給水装置について、以下その動作を説明する。
【００２８】
まず、給水弁１を開けることで、水道水を水タンク２に給水させ、水タンク２に貯水された水は、時間が経過すると、自然に塩素が消費され、水が腐敗することを防止するために、定期的に塩素発生装置２ａにて水を電気分解し、塩素を発生させている。この水タンク２に貯水された水を給水ポンプ５を動作させることで、給水ポンプ接続チューブ６及び湯タンク接続チューブ７を経由して、湯タンク４に給水させている。
【００２９】
そして、給水後の水は、湯タンク４の内部に大気圧がかかることで、湯タンク接続チューブ７及び給水ポンプ５及び給水ポンプ接続チューブ６内部の水が、水タンク２に戻る。
【００３０】
以上のように本実施の形態の給水装置は、給水ポンプ５を水タンク２の水面よりも上位に配置させ、給水ポンプ接続チューブ６を水タンク２の底面に接続せず、水タンク２の上部から貫通させ、水タンク２の水面から底面までの間に配置することで、水タンク２の底面に沈殿した水垢・ゴミを吸い込みにくく、湯タンク接続チューブ７及び給水ポンプ５及び給水ポンプ接続チューブ６の内部に水が貯水されることがないために、水垢等の発生を防止することが可能となり、水タンク２の水面以下に配置された給水ポンプ接続チューブ６は、常に塩素発生装置２ａにより、時間が経過しても、水垢・ゴミ等を吸入することがないために、フィルタ５ａに詰まることがなく、給水不良を防止することが可能となる。
【００３１】
また、この実施の形態では、給水ポンプ５にフィルタ５ａを構成しているが、給水ポンプ５とフィルタ５ａを独立構成として、給水ポンプ５と水タンク２の間にフィルタ５ａを構成する場合にも同様の効果を得ることが可能となる。
【００３２】
また、この実施の形態では、給水ポンプ接続チューブ６を水タンク２の上部から貫通させ、水タンク２の水面から底面までの間に配置しているが、水タンク２の上部に給水ポンプ接続チューブ６の代用として、パイプを一体成型することも可能であり、または、水タンク２の側面の水面より低い位置にパイプを一体成型することでも、同様の効果を得ることが可能となる。
【００３３】
また、この実施の形態では、湯タンク４に給水装置において説明しているが、その他にも、製氷機への給水及び水吐出等に用いて、水タンク２から給水ポンプ５で給水されるすべての給水回路において、同様の効果を得ることが可能となる。
【００３４】
また、この実施の形態では、水道水給水方式として、自動販売機内の水タンク２に給水するために給水弁１を給水したり、止水したりしているが、内臓タンク給水方式として、内臓タンク給水ポンプでの給水も可能である。
【００３５】
（実施の形態２）
図２は、本発明の実施の形態２による給水装置の構成図である。
【００３６】
図２において、給水ポンプ５を制御する主制御部８が構成されている。図３は本発明の実施の形態２による給水装置の動作を示すフローチャートである。
【００３７】
本実施の形態は、実施の形態１による給水装置に、さらに、主制御部８を設けたものである。
【００３８】
以上のように構成された給水装置について、以下その動作を図３のフローチャートを参照して説明する。
【００３９】
まず、給水弁１を開けることで、水道水を水タンク２に給水させ、水タンク２に貯水された水は、時間が経過すると、自然に塩素が消費され、水が腐敗することを防止するために、定期的に塩素発生装置２ａにて水を電気分解し、塩素を発生させている。この水タンク２に貯水された水をＳＴＥＰ１で給水ポンプ５を正転動作させることで、給水ポンプ接続チューブ６及び湯タンク接続チューブ７を経由して、湯タンク４に給水させている。そして、ＳＴＥＰ２で湯タンク４内部に構成された水位検知で満水を検知すると、給水ポンプ５の動作を停止し、ＳＴＥＰ３で給水ポンプ５を逆転動作させることで、湯タンク接続チューブ７及び給水ポンプ５内の水を一気に水タンク２に戻し、ＳＴＥＰ４で給水ポンプ５の逆転動作時間が約３〜５秒程度の一定時間が経過したかどうかを主制御部８にて判断させて、ＳＴＥＰ５で給水ポンプ５の逆転動作を停止する。このように、給水ポンプ５を正転動作させて停止後、即時、給水ポンプ５を逆転動作させることで湯タンク接続チューブ７及び給水ポンプ５内部の水が一気に水タンク２に戻るために、給水ポンプ５に構成されたフィルタ５ａに付着した水垢・ゴミ等を除去することが可能となる。
【００４０】
また、常に給水後に給水ポンプ５を逆転動作させることで、給水ポンプ５と水タンク２の水面距離が一定に保たれるために、吐出時の単位時間あたりの吐出定量性を保つことが可能となり、水吐出用のポンプにも利用可能となる。
【００４１】
また、この実施の形態では、湯タンク４に給水ポンプ５で給水が完了するごとに、給水ポンプ５を逆転動作させているが、数回給水動作を行った場合に逆転動作を実施することも可能である。
【００４２】
（実施の形態３）
図４は本発明の実施の形態３による給水装置の構成図である。
【００４３】
図４において、給水ポンプ５のモータの回転数を可変させる回転数制御部９が構成されている。
【００４４】
本実施の形態は、実施の形態２による給水装置に、さらに、回転数制御部９を設けたものである。
【００４５】
以上のように構成された給水装置について、以下その動作を説明する。
【００４６】
まず、水タンク２に貯水された給水ポンプ５を正転動作させることで、給水ポンプ接続チューブ６及び湯タンク接続チューブ７を経由して湯タンク４に給水させるが、この場合には、給水時間をできるだけ短縮させるためにも、回転数制御部９によって給水ポンプ５のモータの回転数を上げることが必要となる。しかし、給水ポンプ５を逆転動作させて、フィルタ５ａに付着した水垢・ゴミ等を除去する場合には、湯タンク接続チューブ７及び給水ポンプ５及び給水ポンプ接続チューブ内部の水及び多少の空気が水タンク２に戻ることで、水タンク２内の水が撹拌されて塩素が消費されてしまうために、回転数制御部９によって、給水ポンプ５のモータの回転数を下げることが必要となる。このように、給水ポンプ５を正転動作させる場合と逆転動作させる場合に、給水ポンプ５のモータの回転数を可変させることで、短時間での給水及び水タンク２内の水の塩素消費を低減させることが可能となる。
【００４７】
また、逆に、給水ポンプ５を正転動作させる場合に、湯タンク４内部の液面が波立つことを防止するために、給水ポンプ５のモータの回転数を下げ、給水ポンプ５を逆転動作させる場合に、フィルタ５ａに付着した水垢・ゴミ等が多い時に給水ポンプ５のモータの回転数を上げることで、流速が高まり、水垢・ゴミ等の除去能力を高めることが可能となる。
【００４８】
（実施の形態４）
図５は本発明の実施の形態４による給水装置を示すフローチャートである。
【００４９】
本実施の形態は、実施の形態１による給水装置に、さらに、給水装置制御を設けたものである。
【００５０】
以上のように構成された給水装置について、以下その動作を図５のフローチャートを参照して説明する。
【００５１】
まず、ＳＴＥＰ１で自動販売機の電源をＯＮすると、ＳＴＥＰ２で湯タンク接続チューブ７及び給水ポンプ５及び給水ポンプ接続チューブ６を介して湯タンク４内部の水を水タンク２に戻し、フィルタ２ａに付着した水垢・ゴミ等を除去する目的で給水ポンプ５を逆転動作させる。そして、ＳＴＥＰ３で給水ポンプ５の逆転動作時間が約３〜５秒程度の一定時間が経過したかどうかを主制御部８にて判断させて、ＳＴＥＰ４で給水ポンプ５の逆転動作を停止する。このように、給水ポンプ５を正転動作させてから逆転動作させるまでの間に、瞬間的な停電を含む停電または自動販売機の意図的な電源ＯＦＦによって、給水ポンプ５の逆転動作がなされないことになり、再度、電源をＯＮした場合に、フィルタ２ａに水垢・ゴミ等が付着したままの状態となる可能性があるため、自動販売機の電源をＯＮした場合に、給水ポンプ５を必ず逆転動作させることで、フィルタ２ａに水垢・ゴミ等が付着したままの状態となることを防止することが可能となる。
【産業上の利用可能性】
【００５２】
以上のように本発明にかかる給水装置は、給水ポンプを水タンクの水面よりも上位に配置させ、給水ポンプ接続チューブを水タンクの底面に接続せず、水タンクの上部から貫通させ、水タンクの水面から底面までの間に配置することで、水垢・ゴミ等を吸入することがないために、フィルタに詰まることがなく、給水不良を防止することが可能となり、水を利用した機器の用途にも応用することができる。
【図面の簡単な説明】
【００５３】
【図１】本発明による給水装置の実施の形態１の構成図
【図２】本発明による給水装置の実施の形態２の構成図
【図３】同実施の形態の給水装置の動作を示すフローチャート
【図４】本発明による給水装置の実施の形態３の構成図
【図５】本発明による給水装置の実施の形態４の動作を示すフローチャート
【図６】従来の給水装置の構成図
【符号の説明】
【００５４】
１    給水弁
２    水タンク
２ａ  塩素発生装置
３    水タンク接続チューブ
４    湯タンク
５    給水ポンプ
５ａ  フィルタ
６    給水ポンプ接続チューブ
７    湯タンク接続チューブ
８    主制御部
９    回転数制御部
【図１】
2005326926.tif 000003
【図２】
2005326926.tif 000004
【図３】
2005326926.tif 000005
【図４】
2005326926.tif 000006
【図５】
2005326926.tif 000007
【図６】
2005326926.tif 000008